(57)【要約】【要約書】【課題】  送泥水管内を流れる送泥水及び排泥水を利用してモータ部によって発生した熱を効率的に吸収することができるトンネル工事用排泥ポンプを提供する。【解決手段】切羽１３に送泥管１５を通して送泥し、切羽１３から排泥管１７を通して排泥するために用いられるトンネル工事用排泥ポンプであって、排泥ポンプ１９を水中ポンプより構成し、排泥ポンプ１９のモータ部２１の外周面を第１及び第２冷却ジャケット２２，２３で被覆し、第１及び第２冷却ジャケット２２，２３を、内部を泥水が通過する送泥管１５の１部及び排泥管１７の１部によりそれぞれ形成する。【選択図】    図２
2005194720.tif 000002
【特許請求の範囲】
【請求項１】
切羽に送泥管を通して送泥し、前記切羽から排泥管を通して排泥するために用いられるトンネル工事用排泥ポンプであって、前記排泥ポンプを水中ポンプより構成し、前記排泥ポンプのモータ部の外周面を第１及び第２冷却ジャケットで被覆し、前記第１及び第２冷却ジャケットを、内部を泥水が通過する前記送泥管の１部及び前記排泥管の１部によりそれぞれ形成したことを特徴とするトンネル工事用排泥ポンプ。
【請求項２】
切羽に送泥管を通して送泥し、前記切羽から排泥管を通して排泥するために用いられるトンネル工事用排泥ポンプであって、前記排泥ポンプを水中ポンプより構成し、前記排泥ポンプのモータ部の外周面を内部に冷却媒体を封入した第１及び第２冷却ジャケットで被覆し、該第１及び第２冷却ジャケットを前記送泥管の１部及び前記排泥管の１部に接続したことを特徴とするトンネル工事用排泥ポンプ。
【請求項３】
切羽に送泥管を通して送泥し、前記切羽から排泥管を通して排泥するために用いられるトンネル工事用排泥ポンプであって、前記排泥ポンプを水中ポンプより構成し、前記排泥ポンプのモータ部の外周面を第３冷却ジャケットで被覆し、該第３冷却ジャケットの内部に前記送泥管の１部及び前記排泥管の１部を貫通させたことを特徴とするトンネル工事用排泥ポンプ。
【請求項４】
切羽に送泥管を通して送泥し、前記切羽から排泥管を通して排泥するために用いられるトンネル工事用排泥ポンプであって、前記排泥ポンプを水中ポンプより構成し、前記排泥ポンプのモータ部の外周面を第１及び第２冷却ジャケットで被覆し、前記第１冷却ジャケットを、内部を泥水が通過する前記送泥管の１部により形成し、前記第２冷却ジャケットの内部に冷却媒体を封入すると共に、前記排泥管の一部に接続したことを特徴とするトンネル工事用排泥ポンプ。
【請求項５】
切羽に送泥管を通して送泥し、前記切羽から排泥管を通して排泥するために用いられるトンネル工事用排泥ポンプであって、前記排泥ポンプを水中ポンプより構成し、前記排泥ポンプのモータ部の外周面を第１及び第２冷却ジャケットで被覆し、前記第１冷却ジャケットの内部に冷却媒体を封入すると共に前記送泥管の一部に接続し、前記第２冷却ジャケットを、内部を泥水が通過する前記排泥管の１部により形成したことを特徴とするトンネル工事用排泥ポンプ。
【請求項６】
切羽に送泥管を通して送泥し、前記切羽から排泥管を通して排泥するために用いられるトンネル工事用排泥ポンプであって、前記排泥ポンプを水中ポンプより構成し、前記排泥ポンプのモータ部の外周面を第１冷却ジャケットで被覆し、該第１冷却ジャケットを、内部に泥水が通過する前記送泥管の１部により形成したことを特徴とするトンネル工事用排泥ポンプ。
【請求項７】
切羽に送泥管を通して送泥し、前記切羽から排泥管を通して排泥するために用いられるトンネル工事用排泥ポンプであって、前記排泥ポンプを水中ポンプより構成し、前記排泥ポンプのモータ部の外周面を第１冷却ジャケットで被覆し、該第１冷却ジャケットの内部に冷却媒体を封入すると共に前記第１冷却媒体を前記送泥管の一部に接続したことを特徴とするトンネル工事用排泥ポンプ。
【請求項８】
切羽に送泥管を通して送泥し、前記切羽から排泥管を通して排泥するために用いられるトンネル工事用排泥ポンプであって、前記排泥ポンプを水中ポンプより構成し、前記排泥ポンプのモータ部の外周面を第２冷却ジャケットで被覆し、該第２冷却ジャケットを、内部に泥水が通過する前記排泥管の１部により形成したことを特徴とするトンネル工事用排泥ポンプ。
【請求項９】
切羽に送泥管を通して送泥し、前記切羽から排泥管を通して排泥するために用いられるトンネル工事用排泥ポンプであって、前記排泥ポンプを水中ポンプより構成し、前記排泥ポンプのモータ部の外周面を第２冷却ジャケットで被覆し、該第２冷却ジャケットを、内部に冷却媒体を封入すると共に前記第２冷却媒体を前記排泥管の一部に接続したことを特徴とするトンネル工事用排泥ポンプ。
【発明の詳細な説明】
【技術分野】
【０００１】  本発明は、例えば、泥水循環式小口径推進方法を用いてトンネルを掘削する際に用いるトンネル工事用排泥ポンプに関する。
【背景技術】
【０００２】  従来、例えば、小口径のトンネルを掘削する泥水循環式小口径推進方法において、切羽での掘削土砂を泥水と共に排出するポンプ（排泥ポンプ）は、できる限り小型であること（特にトンネル直径方向に小径であること）が絶対条件である。なぜなら、トンネル内にはカッター駆動用動力ケーブルを配線するための空間や、掘削方向計測用空間を確保する必要があるからである。【０００３】  従来、排泥ポンプとして、全閉外扇モータを用いた陸上用小型ポンプと、水陸両用型モータを用いた水陸両用型ポンプが使用されている。しかし、前者の陸上用小型ポンプは小型かつ小径であるが、陸上用であるため、ひとたび浸水事故が発生するとモータが大きな障害となる欠点があった。一方、後者の水陸両用型ポンプは、気中で運転する場合に自然対流でモータを冷却するものであり、冷却表面積を多く必要とするため、モータ部直径が大きなものとなり、トンネル内の余空間が少なく、作業に支障をきたす欠点があった。
また、水中型ポンプ（以下、水中ポンプという）のモータケーシング部に冷却ジャケットを設け、トンネル外から冷却水を供給、循環させて気中運転時のモータの冷却を行う場合もあるが、冷却水供給装置を設ける必要があり、設備が大掛かりとなり、また電力が多く必要となる欠点があった。
【発明の開示】
【発明が解決しようとする課題】
【０００４】  本発明は上記した従来の問題点を解決し、小型（小径）で、かつ、気中運転の可能なトンネル工事用排泥ポンプを提供することを目的とする。
【課題を解決するための手段】
【０００５】  本発明の上記した目的を達成するためのトンネル工事用排泥ポンプの代表的な構成を列挙すると、以下の通りである。【０００６】  （１）切羽に送泥管を通して送泥し、切羽から排泥管を通して排泥するために用いられるトンネル工事用排泥ポンプであって、排泥ポンプを水中ポンプより構成し、排泥ポンプのモータ部の外周面を第１及び第２冷却ジャケットで被覆し、第１及び第２冷却ジャケットを、内部を泥水が通過する送泥管の１部及び排泥管の１部によりそれぞれ形成したことを特徴とする。
（２）切羽に送泥管を通して送泥し、切羽から排泥管を通して排泥するために用いられるトンネル工事用排泥ポンプであって、排泥ポンプを水中ポンプより構成し、排泥ポンプのモータ部の外周面を内部に冷却媒体を封入した第１及び第２冷却ジャケットで被覆し、該第１及び第２冷却ジャケットを送泥管の１部及び排泥管の１部に接続したことを特徴とする。【０００７】  （３）切羽に送泥管を通して送泥し、切羽から排泥管を通して排泥するために用いられるトンネル工事用排泥ポンプであって、前記排泥ポンプを水中ポンプより構成し、排泥ポンプのモータ部の外周面を第３冷却ジャケットで被覆し、第３冷却ジャケットの内部に送泥管の１部及び排泥管の１部を貫通させたことを特徴とする。
（４）切羽に送泥管を通して送泥し、切羽から排泥管を通して排泥するために用いられるトンネル工事用排泥ポンプであって、排泥ポンプを水中ポンプより構成し、排泥ポンプのモータ部の外周面を第１及び第２冷却ジャケットで被覆し、第１冷却ジャケットを、内部を泥水が通過する送泥管の１部により形成し、第２冷却ジャケットの内部に冷却媒体を封入すると共に、排泥管の一部に接続したことを特徴とする。【０００８】  （５）切羽に送泥管を通して送泥し、切羽から排泥管を通して排泥するために用いられるトンネル工事用排泥ポンプであって、排泥ポンプを水中ポンプより構成し、排泥ポンプのモータ部の外周面を第１及び第２冷却ジャケットで被覆し、第１冷却ジャケットの内部に冷却媒体を封入すると共に送泥管の一部に接続し、第２冷却ジャケットを、内部を泥水が通過する排泥管の１部により形成したことを特徴とする。
（６）切羽に送泥管を通して送泥し、切羽から排泥管を通して排泥するために用いられるトンネル工事用排泥ポンプであって、排泥ポンプを水中ポンプより構成し、排泥ポンプのモータ部の外周面を第１冷却ジャケットで被覆し、第１冷却ジャケットを、内部に泥水が通過する送泥管の１部により形成したことを特徴とする。
（７）切羽に送泥管を通して送泥し、切羽から排泥管を通して排泥するために用いられるトンネル工事用排泥ポンプであって、排泥ポンプを水中ポンプより構成し、排泥ポンプのモータ部の外周面を第１冷却ジャケットで被覆し、第１冷却ジャケットの内部に冷却媒体を封入すると共に第１冷却媒体を送泥管の一部に接続したことを特徴とする。【０００９】  （８）切羽に送泥管を通して送泥し、切羽から排泥管を通して排泥するために用いられるトンネル工事用排泥ポンプであって、排泥ポンプを水中ポンプより構成し、排泥ポンプのモータ部の外周面を第２冷却ジャケットで被覆し、第２冷却ジャケットを、内部に泥水が通過する排泥管の１部により形成したことを特徴とする。
（９）切羽に送泥管を通して送泥し、切羽から排泥管を通して排泥するために用いられるトンネル工事用排泥ポンプであって、排泥ポンプを水中ポンプより構成し、排泥ポンプのモータ部の外周面を第２冷却ジャケットで被覆し、第２冷却ジャケットを、内部に冷却媒体を封入すると共に第２冷却媒体を排泥管の一部に接続したことを特徴とする。
【発明の効果】
【００１０】  このように、本発明では、送泥水管と排泥ポンプのモータ部とを冷却ジャケットを介して接続することによって、送泥水管内を流れる送泥水を熱伝達媒体として利用してモータ部によって発生した熱を効率的に吸収することができる。【００１１】  また、排泥ポンプを構成する水中ポンプは水陸両用モータより小径であるのみならず、全閉外扇モータより小径であるため、従来の排泥ポンプより小型で小径の排泥ポンプを構成することができる。
さらに、上記した推進掘削方法において浸水事故が発生しても、排泥ポンプは水中ポンプから構成されているため、故障することが少なく、連続して運転することができる。
しかも、外部から冷却水を供給する必要がないため、設備を簡略化することができ、冷却水供給動力を節約することができる。
【発明を実施するための最良の形態】
【００１２】  以下、添付図面に示す幾つかの実施例を参照しつつ、本発明に係るトンネル工事用排泥ポンプをより詳細に説明する。【００１３】（実施例１）
図１〜図３において、１０は推進泥水循環式小口径推進方法によって地中に横方向に掘削した掘削穴であり、掘削穴１０の後端から推進掘削装置導入穴１１が地上に向けて開口している。掘削穴１０の内部先端にはカッター１２を具備する切羽１３が配設されている。切羽１３の泥流入口１４には基端を地上に設けた送泥ポンプ（図示せず）に接続した送泥管１５の先端が推進掘削装置導入穴１１及び掘削穴１０を通して連通連結されており、基端を切羽１３の泥排出口１６に接続した排泥管１７の先端は掘削穴１０及び掘削装置導入穴１１を通して地上に導出されている。また、推進掘削装置導入穴１１内には推進掘削装置１８が配設されている。【００１４】  また、排泥管１７であって切羽１３の近傍をなす個所にはトンネル工事用排泥ポンプ（以下、排泥ポンプとする）１９が取り付けられており、排泥ポンプ１９は水密性の水中ポンプからなり、内部にインペラを具備するポンプ部２０と、インペラを回転するモータを具備するモータ部２１とから構成される。そして、モータの駆動によってモータ部２１から熱が発生することになる。
本実施例では、このような熱を吸収してモータ部２１を冷却するために、モータ部２１と平行をなす送泥管１５の部分と排泥管１７の部分とを拡大（拡径）して第１及び第２冷却ジャケット２２，２３を設け、一方、これらの第１及び第２冷却ジャケット２２，２３をモータ部２１の両外側面に接続することによってモータ部２１を被覆している。【００１５】  上記した構成によって、推進掘削方法において推進掘削装置１８を駆動すると共に地上に設置した送泥ポンプ及び排泥ポンプ１９を駆動することによって送泥水が送泥管１５内を通って切羽１３に供給され、その後、掘削された土壌は送泥された泥水と共に排泥管１７を通して排泥水として外部に排出されることになる。
このような作業において、排泥ポンプ１９のモータ部２１は発熱することになるが、本実施例では、上述したように、第１及び第２冷却ジャケット２２，２３が直接モータ部２１の両外側面に接続されているので、第１冷却ジャケット２２内を流れる送泥水及び第２冷却ジャケット２３内を流れる排泥水が直接両外側面に接触することによって発生した熱を効率的に吸収することになる。【００１６】  また、排泥ポンプ１９を構成する水中ポンプは水陸両用モータより小径であるのみならず、全閉外扇モータより小径であるため、従来の排泥ポンプより小型で小径の排泥ポンプを構成することができる。
さらに、上記した推進掘削方法において浸水事故が発生しても、排泥ポンプ１９は水中ポンプから構成されているため、故障することが少なく、連続して運転することができる。
しかも、外部から冷却水を供給する必要がないため、設備を簡略化することができ、冷却水供給動力を節約することができる。【００１７】（実施例２）
本実施例は実施例１の変容例に係るものであり、実施例１と同様に送泥水と排泥水とを用いて排泥ポンプ１９のモータ部２１を冷却することを特徴とする。ただし、本実施例は、実施例１と異なり、送泥水と排泥水による排泥ポンプ１９のモータ部２１の冷却を共に冷却媒体の一例である冷却水を介して行なうことを特徴とする。
即ち、図４及び図５に示すように、本実施例は、モータ部２１と平行をなす送泥管１５と排泥管１７の外周面に、それぞれ冷却水を封入した相互に独立した第１および第２冷却ジャケット２４，２５を囲繞状態に取り付け、一方、この第１および第２冷却ジャケット２４，２５をモータ部２１の両外側面に接続することによって、モータ部２１を被覆している。
このような構成とすることによって、送泥水によるモータ部２１の冷却及び排泥水によるモータ部２１の冷却のいずれの場合も、第１および第２冷却ジャケット２４，２５に封入した冷却水を介して行なうことにより、送泥水及び排泥水をモータ部２１に直接接触させることによるモータ部２１の摩損を防止することができる。また、本実施例２では冷却ジャケット２４，２５を別体に構成することによって、第１および第２冷却ジャケット２４，２５の幅ｈをモータ部２１の幅Ｈよりも小さくでき、トンネル工事用排泥ポンプをコンパクトに構成することができる。
なお、本実施例において、実施例１と同様な機能を発揮する構成要素は同一の符号で示す。【００１８】（実施例３）
本実施例も実施例１の変容例に係るものであり、実施例２と同様に送泥水と排泥水による排泥ポンプ１９のモータ部２１の冷却を共に冷却媒体の一例である冷却水を介して行なうことを特徴とする。
即ち、図６及び図７に示すように、本実施例は、モータ部２１の外周面を第３冷却ジャケット２８で囲繞すると共に、第３ジャケット２８をモータ部２１と平行をなす送泥管１５と排泥管１７に向けて伸延し、その伸延部２６，２７にそれぞれ送泥管１５と排泥管１７を貫通させた構成としている。
このような構成とすることによって、送泥水によるモータ部２１の冷却及び排泥水によるモータ部２１の冷却のいずれの場合も、第３冷却ジャケット２８に封入した冷却水を介して行なうことにより、送泥水及び排泥水をモータ部２１に直接接触させることによるモータ部２１の摩損を防止することができる。また、本実施例３では、実質的に第３冷却ジャケット２８は単一のケーシングで形成することができるので、構造が簡単となり安価に製作することができる。なお、本実施例において、実施例１と同様な機能を発揮する構成要素は同一の符号で示す。【００１９】（実施例４）
本実施例も実施例１の変容例に係るものであり、実施例１と同様に送泥水と排泥水とを用いて排泥ポンプ１９のモータ部２１を冷却することを特徴とする。ただし、本実施例は、実施例１と異なり、送泥水による排泥ポンプ１９のモータ部２１の冷却は送泥水によって直接冷却すると共に、排泥水による排泥ポンプ１９のモータ部２１の冷却は冷却媒体の一例である冷却水を介して行なうことを特徴とする。
即ち、図８に示すように、本実施例は、モータ部２１と平行をなす送泥管１５の部分を拡大（拡径）して第１冷却ジャケット２９を設け、冷却ジャケット２９をモータ部２１の一外側面に接続させて被覆させると共に、モータ部２１と平行をなす排泥管１７の外周面を冷却水を封入した第２冷却ジャケット３０に囲繞状態で接続し、この第２冷却ジャケット３０をモータ部２１の他外側面に接続することによってモータ部２１を被覆している。
このような構成とすることによって、送泥水によってモータ部２１を直接冷却して大きな冷却効果を得ることができると共に、排泥水の場合、第２冷却ジャケット３０に封入した冷却水を介して行なうことにより、排泥水をモータ部２１に直接接触させることによるモータ部２１の摩損を防止することができる。
なお、本実施例において、実施例１と同様な機能を発揮する構成要素は同一の符号で示す。【００２０】（実施例５）
本実施例も実施例１の変容例に係るものであり、実施例１と同様に送泥水と排泥水とを用いて排泥ポンプ１９のモータ部２１を冷却することを特徴とする。ただし、本実施例は、実施例１と異なり、排泥水による排泥ポンプ１９のモータ部２１の冷却は排泥水によって直接冷却すると共に、送泥水による排泥ポンプ１９のモータ部２１の冷却は冷却媒体の一例である冷却水を介して行なうことを特徴とする。
即ち、図９に示すように、本実施例は、モータ部２１と平行をなす排泥管１７の部分を拡大（拡径）して第２冷却ジャケット３１を設け、第２冷却ジャケット３１をモータ部２１の一外側面に接続させると共に、モータ部２１と平行をなす送泥管１５の外周面を冷却水を封入した第１冷却ジャケット３２で囲繞し、この第１冷却ジャケット３２をモータ部２１の他外側面に接続することによってモータ部２１を被覆している。
このような構成とすることによって、排泥水によってモータ部２１を直接冷却して大きな冷却効果を得ることができると共に、送泥水の場合、第１冷却ジャケット３２に封入した冷却水を介して行なうことにより、送泥水によってモータ部２１を直接接触させることによるモータ部２１の摩損を防止することができる。
なお、本実施例において、実施例１と同様な機能を発揮する構成要素は同一の符号で示す。【００２１】（実施例６）
本実施例は送泥水のみを用いて排泥ポンプ１９のモータ部２１を冷却することを特徴とする。
即ち、図１０に示すように、本実施例は、モータ部２１と平行をなす送泥管１５の部分をのみを拡大（拡径）して第１冷却ジャケット３３を設け、第１冷却ジャケット３３をモータ部２１の一外側面に接続させた構成としている。
このような構成とすることによって、送泥水によってモータ部２１を直接冷却して大きな冷却効果を得ることができる。
なお、本実施例において、実施例１と同様な機能を発揮する構成要素は同一の符号で示す。【００２２】（実施例７）
本実施例は実施例６の変容例に係るものであり、実施例６と同様に送泥水のみを用いて排泥ポンプ１９のモータ部２１を冷却することを特徴とする。
ただし、本変容例では、図１１に示すように、モータ部２１と平行をなす送泥管１５の部分のみの外周面を冷却媒体の一例である冷却水を封入した冷却ジャケット３４で囲繞し、この冷却ジャケット３４をモータ部２１の他外側面に接続させて被覆した構成としている。
このような構成とすることによって、冷却ジャケット３４に封入した冷却水を介してモータ部２１の冷却を行なうことにより、送泥水によってモータ部２１を直接接触させることによるモータ部２１の摩損を防止することができる。
なお、本実施例において、実施例５と同様な機能を発揮する構成要素は同一の符号で示す。【００２３】（実施例８）
本実施例は排泥水のみを用いて排泥ポンプ１９のモータ部２１を冷却することを特徴とする。
即ち、図１２に示すように、本実施例は、モータ部２１と平行をなす排泥管１７の部分をのみを拡大（拡径）して冷却ジャケット３５を設け、冷却ジャケット３５をモータ部２１の一外側面に接続させて被覆した構成としている。
このような構成とすることによって、排泥水によってモータ部２１を直接冷却して大きな冷却効果を得ることができる。
なお、本実施例において、実施例１と同様な機能を発揮する構成要素は同一の符号で示す。【００２４】（実施例９）
本実施例は実施例８の変容例に係るものであり、実施例８と同様に排泥水のみを用いて排泥ポンプ１９のモータ部２１を冷却することを特徴とする。
ただし、本変容例では、図１３に示すように、モータ部２１と平行をなす排泥管１７の部分のみの外周面を冷却媒体の一例である冷却水を封入した冷却ジャケット３６で囲繞し、この冷却ジャケット３６をモータ部２１の他外側面に接続させて被覆した構成としている。
このような構成とすることによって、冷却ジャケット３６に封入した冷却水を介して行なうことにより、送泥水によってモータ部２１を直接接触させることによるモータ部２１の摩損を防止することができる。
なお、本実施例において、実施例７と同様な機能を発揮する構成要素は同一の符号で示す。【００２５】  以上、本発明を幾つかの実施例を参照して説明してきたが、本発明は上記した構成に何ら限定されるものではなく、本発明の技術思想から逸脱することなく、多くの変容例が考えられ、これらの変容例も包含するものである。例えば、内部に冷却水を封入した冷却ジャケットは排泥ポンプのモータ部の外周面に沿って面接触する仕切壁を一体的に具備し、この仕切壁を介して排泥ポンプのモータ部の外周面にボルト等を用いて接続することができる。また、このような冷却ジャケットは、モータ部の周壁の一部を仕切壁として用い、冷却ジャケット内の冷却媒体が直接モータ部の外周面と接触するように取り付けることもできる。いずれの場合も、送泥水によってモータ部を直接接触させることによるモータ部の摩損を防止することができる。
また、冷却ジャケットを、内部を泥水が通過する送泥管や排泥管の１部より形成する場合でも、冷却ジャケットは排泥ポンプのモータ部と外周面に沿って面接触する仕切壁を一体的に具備し、この仕切壁を介してモータ部を被覆するように接触するように、ボルト等を用いて取り付けてもよく、この場合、送泥水によってモータ部を直接接触させることによるモータ部の摩損を防止することができる。
【産業上の利用可能性】
【００２６】  本発明に係るトンネル工事用排泥ポンプは、泥水循環式小口径推進方法を用いてトンネル等を掘削する際に好適に用いることができる。
【図面の簡単な説明】
【００２７】
【図１】本発明の実施例１に係るトンネル工事用排泥ポンプを用いたトンネル掘削作業の説明図。
【図２】同トンネル工事用排泥ポンプの拡大断面平面図。
【図３】同トンネル工事用排泥ポンプの図１のＡ−Ａ線による矢視図。
【図４】本発明の実施例２に係るトンネル工事用排泥ポンプの断面平面図。
【図５】同トンネル工事用排泥ポンプの図１のＢ−Ｂ線による矢視図。
【図６】本発明の実施例３に係るトンネル工事用排泥ポンプの断面平面図。
【図７】同トンネル工事用排泥ポンプの図１のＣ−Ｃ線による矢視図。
【図８】本発明の実施例４に係るトンネル工事用排泥ポンプの断面平面図。
【図９】本発明の実施例５に係るトンネル工事用排泥ポンプの断面平面図。
【図１０】本発明の実施例６に係るトンネル工事用排泥ポンプの断面平面図。
【図１１】本発明の実施例７に係るトンネル工事用排泥ポンプの断面平面図。
【図１２】本発明の実施例８に係るトンネル工事用排泥ポンプの断面平面図。
【図１３】本発明の実施例９に係るトンネル工事用排泥ポンプの断面平面図。
【符号の説明】
【００２８】１０：掘削穴
１１：推進掘削装置導入穴
１２：カッター
１３：切羽
１４：泥流入口
１５：送泥管
１６：泥排出口
１７：排泥管
１８：推進掘削装置
１９：トンネル工事用排泥ポンプ（排泥ポンプ）
２０：ポンプ部
２１：モータ部
２２：第１冷却ジャケット
２３：第２冷却ジャケット
２４：第１冷却ジャケット
２５：第２冷却ジャケット
２６：伸延部
２７：伸延部
２８：第３冷却ジャケット
２９：第１冷却ジャケット
３０：第２冷却ジャケット
３１：第２冷却ジャケット
３２：第１冷却ジャケット
３３：冷却ジャケット
３４：冷却ジャケット
３５：冷却ジャケット
３６：冷却ジャケット
ｈ：幅
Ｈ：幅
【図１】
2005194720.tif 000003
【図２】
2005194720.tif 000004
【図３】
2005194720.tif 000005
【図４】
2005194720.tif 000006
【図５】
2005194720.tif 000007
【図６】
2005194720.tif 000008
【図７】
2005194720.tif 000009
【図８】
2005194720.tif 000010
【図９】
2005194720.tif 000011
【図１０】
2005194720.tif 000012
【図１１】
2005194720.tif 000013
【図１２】
2005194720.tif 000014
【図１３】
2005194720.tif 000015